(57)【要約】【課題】            従来知られているカッター付きの玉巻紐の収納容器は使い勝手が悪く、カッターが不使用時にも露呈したままの状態となって危険であり、一度使用した後の導出されている紐の端部が掛止位置決めされる事が無いので、不用意に引き出されたり、あるいは容器内で玉巻紐が回動したりすると、容器内に引き込まれてしまい、再度紐を導出しなければならない事態が生じてしまう事があるという点である。【解決手段】        上面を開口した玉巻紐収納部を有し、前記開口を開閉する蓋体を備え、前記蓋体には前記した玉巻紐から引き出された紐の端部を導出する透孔とその紐を掛止させる切り出し舌片を形成し、前記蓋体にカッターを一体的に装備したカッターホルダーを着脱自在に備えていることとする。【選択図】          図１０
2009255954.tif 000002
【特許請求の範囲】
【請求項１】
上面を開口した玉巻紐収納部を有し、前記開口を開閉する蓋体を備え、前記蓋体には前記した玉巻紐から引き出された紐の端部を導出する透孔とその紐を掛止させる切り出し舌片を形成し、前記蓋体にカッターを一体的に装備したカッターホルダーを着脱自在に備えていることを特徴とする玉巻紐の収納容器。
【発明の詳細な説明】
【技術分野】
【０００１】
本発明は玉巻紐、特にポリプロピレン（ＰＰ）製の玉巻紐の収納容器に関する。
【背景技術】
【０００２】
従来、玉巻紐、特にポリプロピレン製の玉巻紐は一般に家庭、事業所、工場等において広く使用されているもので、古新聞、古雑誌や使用済段ボールの結束、荷造り等々その用途も多岐に亘っている梱包材料の一種である。
【０００３】
この玉巻紐は連続する長尺材を巻回した構成となっているため、使用に際してはハサミやカッター等の切断用具によって使用する分を切り離してやる必要があり、また、残量が少なくなってくるにつれて、玉の形成状態がヘタってしまい、持ちずらく、取り扱いにくくなってくるものである。
【０００４】
かかる観点から、玉巻紐を収納し、適宜長さで切断するためのカッターを一部に備えた容器が例えば特許文献で示すように知られている。しかしながら、この従前の収納容器は導出した紐の一部の位置決めがなく、不用意に引き出されてしまったり、作業勝手が悪くスムーズな作業ができず、また、カッターの刃部が不使用時にも露呈された状態となるため安全性にも問題があるものとなっている。
【特許文献１】特開２００４−９０９４４号公報
【発明の開示】
【発明が解決しようとする課題】
【０００５】
本発明が解決しようとする問題点は、従来知られているカッター付きの玉巻紐の収納容器は使い勝手が悪く、カッターが不使用時にも露呈したままの状態となって危険であり、一度使用した後の導出されている紐の端部が掛止位置決めされる事が無いので、不用意に引き出されたり、あるいは容器内で玉巻紐が回動したりすると、容器内に引き込まれてしまい、再度紐を導出しなければならない事態が生じてしまう事があるという点である。
【課題を解決するための手段】
【０００６】
この問題点を解決するために、本発明に係る玉巻紐の収納容器は上面を開口した玉巻紐収納部を有し、前記開口を開閉する蓋体を備え、前記蓋体には前記した玉巻紐から引き出された紐の端部を導出する透孔とその紐を掛止させる切り出し舌片を形成し、前記蓋体にカッターを一体的に装備したカッターホルダーを着脱自在に備えていることを特徴としている。
【発明の効果】
【０００７】
本発明に係る玉巻紐の収納容器は上記のように構成されている。そのため、使い勝手が非常に良くなり、また、切り出し舌片によって紐を切断する際の支承及び導出した紐の端部の位置決めを行なえることとなり、玉巻紐は使い終わるまで同様の状態で収納部内で保持され、使い続けられることとなる。
【発明を実施するための最良の形態】
【０００８】
図面として示し、実施例で説明したように構成したことで実現した。
【実施例１】
【０００９】
次に、本発明の好ましい実施の一例を図面を参照して説明する。図１は本発明を実施した玉巻紐の収納容器を示す蓋体を分離した状態の斜視図、図２は同じくカッターとカッターホルダーを示す斜視図、図３は同じく容器本体を示す平面図、図４は同じくＡ−Ａ線に沿った断面図、図５は同じく蓋体の平面図、図６は同じくカッターの平面図、図７は同じく側面図、図８は同じくカッターホルダーの拡開した平面図、図９は同じく側断面図である。
【００１０】
これらの図にあって１は玉巻紐の収納容器本体を示している。この収納容器本体１は本実施例にあってはポリエチレンテレフタレート（ＰＥＴ）のシート材を加工して成形したもので有底円筒状をし、上面を開口した収納部２を有する、いわゆるブリスターパックとなっているもので、収納される玉巻紐の残量が外から目視確認できるよう透明もしくは半透明の素材とする事が好ましい。
【００１１】
この収納部２の開口周囲にはフラットな略矩形としたフランジ３が一体に形成されており、このフランジ３の相対向する両縁には折り返し状態で後述する蓋体をスライドさせるためのガイドレール４、４が形成されている。
【００１２】
また、このガイドレール４、４と交差する方向の一縁には蓋体のストッパ５がやはり折り返し状態で形成されており、このストッパ５の長さはその縁部の端から略３分の２程度となっている。そして、フランジ３の一隅でストッパ５が途切れた位置には後述するカッターホルダーの取り付け部６が形成されている。
【００１３】
この取り付け部６は略長方形をした凹部となっており、フランジ３の端縁に対し、その長方形の配置が斜状に形成されているもので、その短手方向の内壁にはカッターホルダーをスナップインで掛合させる断面円弧状をした係合突条７、７が設けられている。また、その底面一部には嵌着されたカッターホルダーを取り外すため、そのカッターホルダーを棒状の操作具（例えばピン材やボールペン等でも可）で押し出すための透孔８が穿設されている。そして、この取り付け部６にはガイドレール４と平行に形成された、切断される紐のガイド溝９が形成されており、このガイド溝９は入口が拡開された構成となっている。
【００１４】
一方、図中１０は略矩形状とし、前記したフランジ３と同等のサイズとされた蓋体である。この蓋体１０も本実施例では容器本体１と同様にポリエチレンテレフタレート（ＰＥＴ）のシート材によって成形されることを想定しているもので、図１中に矢印で示した方向に往復スライドをするものとなっている。
【００１５】
この蓋体１０には中央前端寄りに収納されている玉巻紐の端部を引き出すための導出孔１１が穿設されている。この導出孔１１の位置は実際の使用時に蓋体１０をスライドさせて取り付け部６に装着されたカッターが露呈された位置で玉巻紐の中央部位と合致するよう図られたものである。
【００１６】
また、この蓋体１０のカッターホルダーの取り付け部６寄り側で後端寄りの位置に、その基端を前端側とした切り出し舌片１２が形成されており、この切り出し舌片１２はその素材の特性から弾性を保有したものとなっている。
【００１７】
一方、図中１３はプラスチックで成形され、下片１４と上片１５とからなるカッターホルダーで、このカッターホルダー１３の下片１４と上片１５とは各々の長手方向に沿った側縁をヒンジ部１６で一体的に連接され、下片１４に対して上片１５を枢動自在なものとしている。
【００１８】
この下片１４には中央部位に金属製カッター１７の装着用凹部１８が形成されており、この装着用凹部１８には斜状に切断される紐のガイド溝１９が形成されている。さらに、前記した装着用凹部１８の左右に上片１５に突設されたボス２０、２０の嵌着穴２１、２１が形成されている。
【００１９】
また、上片１５には、下片１４と重合した状態で前記したガイド溝１９と連通するガイド溝２２が形成され、下片１４の両側面には、前記した取り付け部６に装着した際に係合突条７、７と係合する係合段部２３、２３が一体的に形成されている。尚、カッター１７は装着用凹部１８にセットされると、ホットメルトや超音波溶着等の手段によって固定されることとなる。
【００２０】
本実施例に係る玉巻紐の収納容器は上記のように構成されている。この実施例に係る容器本体１を実際に使用するについては、まず、蓋体１０をスライドさせて容器本体１から取り外し、特に図示しない玉巻紐を収納部２に入れ、紐を引き出して蓋体１０の導出孔１１へ挿通する。この状態で再び蓋体１０をガイドレール４、４に沿って容器本体１にセットする。この時に、引き出した紐の端部は切り出し舌片１２に鋏み、位置決めしておき、スタンバイ状態としておくと良い。
【００２１】
次いで、紐を使用するときには蓋体１０をスライドさせて、カッター１７（カッターホルダー１３）を露呈させ、必要な長さの紐を引き出してガイド溝９、そして、このガイド溝９と連通するカッターホルダー１３のガイド溝１９、２２に入れて紐を切断する。この時カッター１７の刃部は紐に対し、斜状となるので、擦る要領で紐を切断でき、余分な負担がいらず、切断面がほぐれてしまうこともない。また、この切断作業にあって、紐を切り出し舌片１２に引っ掛けることで不要に紐が引き出てきてしまうことを防止できる。
【００２２】
この切断作業が終了したら、蓋体１０をスライドさせて閉状態とすることで、カッター１７は蓋体１０に覆われて安全な状態とできる。
【実施例２】
【００２３】
次に、本発明に係る玉巻紐の収納容器の第二実施例を図１０乃至図１３を用いて説明する。図１０は第二実施例に係る玉巻紐の収納容器を示す斜視図、図１１は同じく平面図、図１２は同じく部分側面図、図１３は同じく縦断面図である。
【００２４】
この図１０乃至図１３にあって２４は玉巻紐の収納部を示し、この収納部２４は上面を開口した有底円筒状となっており、素材としてはＰＥＴをはじめとする透明なプラスチックが使用される。この収納部２４の開口縁は外方に屈曲されて係止部２４ａとされ、その係止部２４ａに係合リブ２５ａを係合されて蓋体２５が着脱自在に被冠されている。
【００２５】
この蓋体２５は蓋板２５ｂの外周縁に上下に延設された立壁２５ｃが一体形成され、前記した係合リブ２５ａはこの立壁２５ｃの蓋板２５ｂより下方に位置する円周面に形成されている。また、蓋板２５ｂの一部には基端を立壁２５ｃ側に寄せて切り出し舌片１２が形成されている。この第二実施例にあっては紐の導出口はこの切り出し舌片１２を形成した透孔が兼用される。
【００２６】
また、この蓋体２５の蓋板２５ｂより上方となる立壁２５ｃの一部、特に切り出し舌片１２の基端と最短の位置にはカッター１７を保持したカッターホルダー１３（第一実施例と同様）を着脱自在にセットする枠体２６が形成されている。この枠体２６は両縁に平行で断面Ｌ字状としたガイドレールを有する上方開放とした構成で、カッターホルダー１３はカッター１７の刃部を上方に向け、ガイドレールに沿って落とし込むものとなっている。
【００２７】
この第二実施例は極めてシンプルな構造とされ、非常に安価で、製作提供でき、使用方法も単純で複雑な動作は一切不要となっている。
【実施例３】
【００２８】
続いて、本発明に係る玉巻紐の第三実施例を図１４乃至図１６を用いて説明する。図１４は第三実施例に係る玉巻紐の収納容器を示す平面図、図１５は同じく要部の断面図、図１６は同じくカッター装着部の底面図、図１７は同じく先端の断面図である。
【００２９】
この第三実施例にあっても、玉巻紐の収納部２４は第二実施例と同様のものが使用され、この収納部２４の上部開口を開閉する蓋体２７が着脱自在に被冠されている。この蓋体２７は蓋板２７ｃの外周縁に立壁２７ａを形成し、その立壁２７ａの上縁を外方にコ字状に屈曲し、その内側に係合リブ２５ａを形成して、この係合リブ２５ａを収納部２４の係止部２４ａと係合して着脱自在としている。
【００３０】
前記した蓋板２７ｃには直交する直径ラインの一方を基端として切り出し舌片１２が形成され、この切り出し舌片１２の長手方向の中央ラインは一方の直径ラインと一致している。また、蓋板２７ｃの中央部位にはセンターラインを前記切り出し舌片１２と同一直線上に配したカッターホルダー２８が取り付けられている。
【００３１】
このカッターホルダー２８は下部を蓋板２７ｃに形成した透孔に嵌着したベース部２８ａと、そのベース部２８ａの上面に止着される抑止部２８ｂとより構成されている。ベース部２８ａの上面には段部を形成して抑止部２８ｂが重合止着されるものとなっており、この重合の際にカッター１７を斜方向に配置してベース部２８ａと抑止部２８ｂ間に挟圧保持することとなる。この重合止着は基部で二箇所、後述するガイド部では一方のみとしており、カッター１７の交換も必要に応じ、一方のガイド部を離すことで可能としている。
【００３２】
このカッターホルダー２８の先端はフォーク状に二股としたガイド部となっており、少なくともその先端から内面は玉巻紐をガイドするためなだらかなアールを形成している。そして、前記した止着は本実施例にあってはスナップインの係合を示しているが、これはビスや接着剤を使用することも勿論可能である。
【００３３】
また、図中２９、２９は蓋板２７ｃに一体に形成されたボスであり、このボス２９、２９はその高さをカッターホルダー２８と同一とし、スタッキングの際の支持部とされる。
【００３４】
この第三実施例にあっても玉巻紐の導出孔は切り出し舌片１２の形成孔と兼用され、導出された玉巻紐はカッターホルダー２８の先端のガイド部の左右いずれの方向からもカッター１７に向けて引き入れる事ができるものとなっており、カッター１７を斜状に配していることによって玉巻紐の切断に際して擦る要領で済み、余分な負担がなくなる。
【産業上の利用可能性】
【００３５】
本実施例に係る玉巻紐の収納容器は上記のように構成されている。本実施例では対象をＰＰ製の玉巻紐としているが、これにこだわらず紙紐や毛糸等にも応用でき、また、容器本体や蓋体の素材もＰＥＴに限ることなく、他のプラスチック等で代替することも可能である。
【００３６】
また、この収納容器は卓上、床上に置いて使用することを前提としているが、卓面に形成した穴に嵌めたり、吊持したり、壁面に取り付ける等して紐を引き出すようにすることも可能である。
【００３７】
さらに、この収納容器は玉巻紐を使用しきると、新しいものを再度収納して何度でも繰り返し、使用する事ができるが、仮に廃棄する時は規制する法に準じてカッターのみは取り外し、分別して廃棄することとなる。
【図面の簡単な説明】
【００３８】
【図１】本発明を実施した玉巻紐の収納容器を示す蓋体を分離した状態の斜視図である。
【図２】カッターとカッターホルダーを示す斜視図である。
【図３】容器本体を示す平面図である。
【図４】Ａ−Ａ線に沿った断面図である。
【図５】蓋体の平面図である。
【図６】カッターの平面図である。
【図７】側面図である。
【図８】カッターホルダーの拡開した平面図である。
【図９】側断面図である。
【図１０】第二実施例に係る玉巻紐の収納容器を示す斜視図である。
【図１１】平面図である。
【図１２】部分側面図である。
【図１３】縦断面図である。
【図１４】第三実施例に係る玉巻紐の収納容器を示す平面図である。
【図１５】要部の断面図である。
【図１６】カッター装着部の底面図である。
【図１７】先端の断面図である。
【符号の説明】
【００３９】
１      玉巻紐の収納容器本体
２      収納部
３      フランジ
４      ガイドレール
５      ストッパ
６      カッターホルダーの取り付け部
７      係合突条
８      透孔
９      ガイド溝
１０    蓋体
１１    導出孔
１２    切り出し舌片
１３    カッターホルダー
１４    下片
１５    上片
１６    ヒンジ部
１７    カッター
１８    装着用凹部
１９    ガイド溝
２０    ボス
２１    嵌着穴
２２    ガイド溝
２３    係合段部
２４    収納部
２５    蓋体
２６    カッターホルダー
２７    蓋体
２８    カッターホルダー
２９    ボス
【図１】
2009255954.tif 000003
【図２】
2009255954.tif 000004
【図３】
2009255954.tif 000005
【図４】
2009255954.tif 000006
【図５】
2009255954.tif 000007
【図６】
2009255954.tif 000008
【図７】
2009255954.tif 000009
【図８】
2009255954.tif 000010
【図９】
2009255954.tif 000011
【図１０】
2009255954.tif 000012
【図１１】
2009255954.tif 000013
【図１２】
2009255954.tif 000014
【図１３】
2009255954.tif 000015
【図１４】
2009255954.tif 000016
【図１５】
2009255954.tif 000017
【図１６】
2009255954.tif 000018
【図１７】
2009255954.tif 000019